(57)【特許請求の範囲】
【請求項１】
回転軸とされるハブ部と、該ハブ部と同軸に配置されたリング部と、ハブ部とリング部とを連結する複数本のスポーク部とを備えた手動式開閉弁用のハンドルであって、
筒状に構成される支持部であって前記リング部の所定の部位に軸支された支持部と、
該支持部から径外方向に突出して形成されるレバーであって、前記支持部を回転軸にして前記リング部の所定の部位の周りを半回転することで、前記リング部の所定の部位から前記ハブ部の方に指向する内向きの姿勢と、前記リング部の所定の部位からハブ部と反対方向に指向する外向きの姿勢とに姿勢転換可能のレバー部と、をさらに備えていることを特徴とする手動式開閉弁用のハンドル。
【請求項２】
回転軸とされるハブ部と、該ハブ部と同軸に配置されたリング部と、ハブ部とリング部とを連結する複数本のスポーク部とを備えた手動式開閉弁用のハンドルであって、
前記リング部の所定の部位から前記ハブ部の方に指向する内向きの姿勢と、前記リング部の所定の部位からハブ部と反対方向に指向する外向きの姿勢とに姿勢転換可能のレバー部と、
前記リング部と前記ハブ部とに連結された筒状の橋絡部であって、前記リング部の外周面に形成された貫通穴に連通するように該リング部に接続される橋絡部と、を備え、
前記レバー部は、前記橋絡部内に挿入されており、該橋絡部に沿ってスライドすることで前記貫通穴を介して出退可能に構成され、
前記レバー部を突出させた状態における前記橋絡部とレバー部との接続部がリング部の貫通穴に位置していることを特徴とする手動式開閉弁用のハンドル。
【請求項３】
前記貫通穴は、シャッターによって開閉されることを特徴とする請求項２に記載の手動式開閉弁用のハンドル。
【発明の詳細な説明】
【技術分野】
【０００１】
本発明は、管体内を流れている流体の流量を調整したり流れを止めたりするためのバルブに備えられた手動式開閉弁用のハンドルに関する。
【背景技術】
【０００２】
例えば発電所において、水などを流すための管体には、バルブが接続されている。このバルブは、管体に接続されて流路を形成する変形筒状のボデーと、このボデー内に収納されて流路を開閉する弁体と、内端部に弁体を接続し、外端部をボデー外に突出させた軸状のステムと、このステムに接続された手動式開閉弁用のハンドル（以下、主として「ハンドル」という。）とを備えている。
【０００３】
ハンドルは、ステムの外端部に固定されたハブ部と、このハブ部と同軸に配置された円環状のリング部と、ハブ部とリング部とを連結する複数本のスポーク部とを備えている。スポーク部は、ハブ部とリング部との間で放射状に配置されている。そして、作業者がハンドルのリング部を手動で周方向に回転させることで、その回転力がスポーク部からステムに伝わり、ステムが回転することで、弁体が回転し、バルブが開閉する。
【０００４】
しかし、例えば、弁体に大きな圧力が掛かっていたり、ステムがボデーに固着したりしている（以下、「バルブに大きな負荷が掛かっている」として説明する。）と、手動でリング部を回せないことがある。このような場合、ウィルキーと呼ばれる開閉操作用工具が使用される。
【０００５】
この開閉操作用工具は、棒状の柄部と、この柄部の先端部を折り曲げた第１の掛止部と、柄部の先端部付近で第１の掛止部と同一方向に突出した第２の掛止部とを備えている。したがって、この開閉操作用工具は、Ｆ字状に成形されている。
【０００６】
この開閉操作用工具は、例えば、第１の掛止部をハンドルのリング部とスポーク部との交差部に引っ掛け、第２の掛止部をリングの外側に引っ掛けて使用される。したがって、開閉操作用工具の柄部がハンドルのリング部から径方向に延出した状態となるため、開閉操作用工具は、梃子（てこ）のように使用される。
【０００７】
すなわち、バルブに大きな負荷が掛かっていても、作業者は、開閉操作用工具の柄部の基端部を押し操作、又は、引き操作することで、ハブ部ないしステムに大きな回転トルクを生じさせ、バルブを開閉することができる。
【０００８】
詳しく説明すると、開閉操作用工具を使用しない場合は、ハブ部ないしステムにはスポーク部の長さ分の回転トルクしか生じないものの、開閉操作用工具を使用する場合は、ハブ部ないしステムにはスポーク部の長さと、開閉操作用工具の柄部の基端部から第２の掛止部までの長さとを加算した長さ分で回転トルクを生じさせる。したがって、作業者が開閉操作用工具の柄部の軽く押し操作、又は、引き操作しても、ハンドルが回り、バルブを開閉させることができる。
【０００９】
しかし、バルブは、管体の内径などに対応して、種々のサイズのものが使用されているため、ハンドルも種々のサイズ（例えば、直径が９ｃｍ程度の小さなものから６２ｃｍ程度の大きなものまで多種多様あるが、３種類に分類される。）のものが備えられている。したがって、開閉操作用工具も、ハンドルのサイズに合わせて例えば、小、中、大の３種類のサイズが提供され、それぞれ保管場所に保管されている。そして、開閉作業するハンドルのサイズに応じて開閉操作用工具が選択される。
【００１０】
しかし、開閉作業するバルブに備えられたハンドルがどのサイズであるかは、作業者が作業現場に到着して判明する。したがって、作業者は、全てのサイズの開閉操作用工具を携行する。しかし、全ての開閉操作用工具を携行することは、作業者にとって重労働となる。あるいは、作業者がある開閉操作用工具を携行し、必要の都度、別の開閉操作用工具を保管場所まで取りに戻る。しかし、このような段取りでは、時間が掛かり、作業効率が低下する。
【００１１】
そこで、ハンドルのサイズを問わず、バルブを開閉することができるようにした開閉操作用工具が種々提供されている（例えば、特許文献１参照）。特許文献１に記載された弁ハンドル操作用工具（開閉操作用工具）は、固定操作杆と可動操作杆とを備えている。
【００１２】
固定操作杆は、中空部を有する操作杆部と、この操作杆部の先端部を屈曲させた固定脚（第２掛止部）とを有している。可動操作杆は、固定操作杆の中空部内に挿入されるスライド部と、このスライド部の先端部を屈曲させた可動脚（第１掛止部）とを有している。
【００１３】
この弁ハンドル操作用工具にあっては、可動操作杆のスライド部が固定操作杆の中空部内でスライドすることで、バルブのハンドルのサイズに合わせて、可動操作杆の可動脚と固定操作杆の固定脚との間隔を変更することができる。したがって、バルブのサイズが多種多様であっても、作業者は、１本の弁ハンドル操作用工具を現場まで携行し、バルブを開閉することができる。
【先行技術文献】
【特許文献】
【００１４】
【特許文献１】特開２００９−６４０３号公報
【発明の概要】
【発明が解決しようとする課題】
【００１５】
特許文献１などに記載された弁ハンドル操作用工具は、小さなサイズのハンドル（例えば直径が９ｃｍ程度）にも使用できるように、可動脚の外径が小さなサイズのリング部とハブ部との間隔よりも細くされている（最大でも４ｃｍ程度）。このような細い可動脚を備えた弁ハンドル操作用工具では、大きなサイズのハンドル(例えば直径が６２ｃｍ)を的確に引っ掛けることができないことから、ハンドルを確実に回すことができない。
【００１６】
そこで、本発明は、ハンドル自体に大きな回転トルクを生じさせることができるようにした手動式開閉弁用のハンドルを提供することを課題とする。
【課題を解決するための手段】
【００１７】
本発明に係る手動式開閉弁用のハンドルは、回転軸とされるハブ部と、該ハブ部と同軸に配置されたリング部と、ハブ部とリング部とを連結する複数本のスポーク部とを備えた手動式開閉弁用のハンドルであって、筒状に構成される支持部であって前記リング部の所定の部位に軸支された支持部と、該支持部から径外方向に突出して形成されるレバーであって、前記支持部を回転軸にして前記リング部の所定の部位の周りを半回転することで、前記リング部の所定の部位から前記ハブ部の方に指向する内向きの姿勢と、前記リング部の所定の部位からハブ部と反対方向に指向する外向きの姿勢とに姿勢転換可能のレバー部と、をさらに備えていることを特徴としている。
【００１８】
この手動式開閉弁用のハンドルによれば、バルブに小さな負荷が掛かり、手動によってリング部に周方向の回転力を加えると、ハブ部を回転させることができる場合は、レバー部をハブ部に向けた内向きの姿勢とすることで、レバー部がバルブの開閉作業の邪魔にならないようにすることができる。
【００１９】
また、バルブに大きな負荷が掛かり、手動によってリング部に周方向の回転力を加えても、ハブ部を回転させることができない場合は、レバー部を内向きの姿勢から外向きの姿勢に姿勢転換する。作業者がこの外向きの姿勢のレバー部を押し操作、又は、引き操作することによって、レバー部の長さとスポーク部の長さとを加算した長さによる大きな回転トルクがハブ部に生じ、ハブ部を回転させることができる。
また、レバー部が支持部を回転軸として半回転するため、ハブ部に向いた内向きの姿勢と、ハブ部と反対方向にリング部から突出した外向きの姿勢とに極めて簡単に姿勢転換させることができる。なお、支持部は、リング部の周方向に移動しないようにリング部に軸支される。
【００２０】
ここで、本発明に係る手動式開閉弁用のハンドルは、回転軸とされるハブ部と、該ハブ部と同軸に配置されたリング部と、ハブ部とリング部とを連結する複数本のスポーク部とを備えた手動式開閉弁用のハンドルであって、前記リング部の所定の部位から前記ハブ部の方に指向する内向きの姿勢と、前記リング部の所定の部位からハブ部と反対方向に指向する外向きの姿勢とに姿勢転換可能のレバー部と、前記リング部と前記ハブ部とに連結された筒状の橋絡部であって、前記リング部の外周面に形成された貫通穴に連通するように該リング部に接続される橋絡部と、を備え、前記レバー部は、前記橋絡部内に挿入されており、該橋絡部に沿ってスライドすることで前記貫通穴を介して出退可能に構成され、前記レバー部を突出させた状態における前記橋絡部とレバー部との接続部がリング部の貫通穴に位置していることを特徴とする。
【００２２】
また、本発明に係る手動式開閉弁用のハンドルの別態様として、前記貫通穴は、シャッターによって開閉されていてもよい。
【発明の効果】
【００３０】
本発明によれば、ハンドル自体に大きな回転トルクを生じさせることができるようにした手動式開閉弁用のハンドルを提供することができる。
【図面の簡単な説明】
【００３１】
【図１】図１は、本発明に係る手動式開閉弁用のハンドルの第１の実施形態であって、（ａ）、（ｂ）、（ｃ）はそれぞれ異なる状態を示す概略斜視図である。
【図２】図２は、本発明に係る手動式開閉弁用のハンドルの第１の実施形態の変形例であって、（ａ）、（ｂ）、（ｃ）はそれぞれ異なる状態を示す概略斜視図である。
【図３】図３は、本発明に係る手動式開閉弁用のハンドルの第２の実施形態であって、（ａ）、（ｂ）はそれぞれ異なる状態を示す概略斜視図である。
【図４】図４は、本発明に係る手動式開閉弁用のハンドルの第２の実施形態であって、（ａ）、（ｂ）はそれぞれ異なる状態を示す要部拡大平面図である。
【図５】図５は、本発明に係る手動式開閉弁用のハンドルの第２の実施形態の変形例であって、（ａ）、（ｂ）、（ｃ）はそれぞれ異なる状態を示す要部拡大平面図である。
【発明を実施するための形態】
【００３２】
〔第１の実施形態〕
本発明に係る手動式開閉弁用のハンドルの第１の実施形態について図１を参照しながら説明する。この手動式開閉弁用のハンドル（以下、主として「ハンドル」という。）２は、背景技術において説明したように、全体を図示しないバルブに備えられる。
【００３３】
バルブは、流路を形成する変形筒状のボデーと、このボデー内に収納されて流路を開閉する弁体と、内端部に弁体を接続し、外端部をボデー外に突出させた軸状のステム１と、このステム１に接続されたハンドル２とを備えている。なお、図示したハンドル２は、水平姿勢であるが、鉛直姿勢でも、傾斜姿勢でもよい。ここでは、ハンドル２が水平姿勢とされている場合について説明する。
【００３４】
そして、ハンドル２は、ステム１に接続された扁平円柱状のハブ部２１と、このハブ部２１と同軸に配置された円環状のリング部２２と、ハブ部２１とリング部２２とを連結する複数本（図面では４本）のスポーク部２３とを備えている。スポーク部２３は、放射状（図面では十字状）に配置されている。
【００３５】
ステム１の先端部には、ボルト部１１が設けられている。ハブ部２１の中心には、貫通穴（図示せず）が形成されている。ボルト部１１がハブ部２１の貫通穴を貫通し、ボルト部１１の先端部がハブ部２１の端面（図面では上面）から突出し、ナット１２が締結されることで、ハブ部２１がステム１に固定されている。
【００３６】
そして、このハンドル２は、リング部２２の所定の部位に方向転換可能のレバー部２４をさらに備えたことを特徴としている。第１の実施形態のハンドル２は、レバー部２４を突出した状態に固定した支持部２５をさらに備えている。支持部２５は、リング部２２の所定の部位において、リング部２２の周方向に移動しないように軸支されている。支持部２５を軸支するリング部２２の所定の部位は、図示したような隣り合ったスポーク部２３を接続した部位の中間に限られず、スポーク部２３を接続した部位に隣接した位置であってもよい。
【００３７】
そして、支持部２５は、平面視において円弧形状の円筒でなく、直線の円筒状に形成されている。したがって、支持部２５を軸支する部位のリング部２２は、平面視において直線状に形成されている。
【００３８】
このような形状とすることにより、レバー部２４は、支持部２５から径方向に延出し、支持部２５を回転軸にして、ハブ部２１の方に指向する内向きの姿勢と、ハブ部２１と反対方向に指向する外向きの姿勢とに姿勢転換可能とされている。
【００３９】
そして、レバー部２４は、内向き姿勢となったときに、先端面がハブ部２１の側面に接触しない長さとされている。このような長さのレバー部２４は、内向きの姿勢において、先端部がハブ部２１に当たらないため、水平姿勢とすることができる。そして、内向きのレバー部２４が水平姿勢を維持できるように、レバー部２４を支えるためのストッパ（図示せず）がリング部２２及びハブ部２１の側面の少なくともいずれか一方に備えられている。
【００４０】
ただし、内向きのレバー部２４の先端部がステム１に設けられたナット１２やボルト部１１の先端部、あるいは、ハブ部２１の端面に当たるようにしてもよい。この場合の内向き姿勢のレバー部２４は、若干、傾斜した姿勢となる。
【００４１】
そして、外向きの姿勢となったレバー部２４が水平姿勢ないしほぼ水平姿勢を維持するように、リング部２２には、外向きの姿勢のレバー部２４を支えるためのストッパ（図示せず）が備えられている。
【００４２】
そして、レバー部２４は、筒体２４１と芯体２４２とを備えている。筒体２４１が芯体２４２を外嵌し、芯体２４２の基端部が支持部２５に固定されている。そして、筒体２４１は、支持部２５から離れる方向に引き出された状態にスライド可能とされている。レバー部２４は、筒体２４１が引き出されることで、筒体２４１が芯体２４２を外嵌しているときよりも長くなる。また、筒体２４１が必要時のみ引き出されるようにするため、筒体２４１と芯体２４２とには、ロック機構（図示せず）が備えられている。
【００４３】
第１の実施形態におけるハンドル２は、以上のように構成され、次に使用方法について説明する。ハンドル２は、通常の状態において、図１（ａ）に示すように、レバー部２４が内向きの姿勢とされている。レバー部２４が外向きの姿勢に突出しないことにより、作業者の手や腕などが不注意によってレバー部２４に当たらないようにすることができる。
【００４４】
すなわち、バルブに小さな負荷が掛かっている場合、作業者は、手動でリング部２２を周方向に回すことで、バルブを開閉する。このとき、レバー部２４がリング部２２から突出していないことで、レバー部２４はバルブの開閉作業の邪魔にならない。
【００４５】
なお、バルブに小さな負荷が掛かっている場合において、仮に、レバー部２４を外向き姿勢とし、作業者がレバー部２４を押し操作、又は、引き操作すると、ステム１に大きすぎる回転トルクが生じ、弁体が回りすぎ、弁体を破損させることもある。
【００４６】
そして、バルブに大きな負荷が掛かり、手動でリング部２２を回せない場合は、図１（ｂ）に示すように、レバー部２４を外向きの姿勢とする。このレバー部２４は、筒体２４１が芯体２４２を完全に外嵌し、支持部２５から離間していない状態とする。
【００４７】
そして、作業者がレバー部２４を押し操作、又は、引き操作する。そうすると、ハブ部２１ないしステム１には、筒体２４１が芯体２４２を外嵌しているレバー部２４の長さとスポーク部２３の長さとを加算した長さ分で回転トルクが生じるため、大きな負荷が掛かっているバルブを開閉することができる。この場合、仮に、筒体２４１を引き出し、支持部２５から離間させ、レバー部２４を長くすると、ステム１に大きすぎる回転トルクが生じるため、弁体を破損させることもある。
【００４８】
そして、バルブにさらに大きな負荷が掛かり、筒体２４１が芯体２４２を外嵌しているレバー部２４（図１（ｂ）に示す状態）が押し操作、又は、引き操作されても、バルブを開閉できない場合は、図１（ｃ）に示すように、筒体２４１が支持部２５から離れるように、筒体２４１を引き出し、レバー部２４を延長する。
【００４９】
筒体２４１がロック機構によってロックされているときは、ロックを解除して、筒体２４１を引き出す。また、筒体２４１は、芯体２４２を外嵌しているため、作業者は、筒体２４１を掴んで引き出しやすくされている。
【００５０】
したがって、バルブにさらに大きな負荷が掛かっていても、レバー部２４の筒体２４１を押し操作、又は、引き操作することで、延長されたレバー部２４の長さとスポーク部２３の長さとを加算した長さ分での大きな回転トルクがステム１に生じるため、バルブを開閉することができる。
【００５１】
なお、大きな回転トルクが生じることにより、筒体２４１と芯体２４２との連結部及び芯体２４２と支持部２５との連結部とには、大きな荷重が加えられる。したがって、筒体２４１と芯体２４２との連結部及び芯体２４２と支持部２５との連結部は、この大きな加重に耐えられる剛性を有していることはいうまでもない。
【００５２】
そして、バルブの開閉作業が終了すると、図１（ａ）に示すように、レバー部２４を内向き姿勢に戻す。
【００５３】
なお、上記第１の実施形態では、レバー部２４は、芯体２４２を外嵌する筒体２４１が引き出されるようにした。しかし、レバー部２４は、筒体２４１が支持部２５に固定され、芯体２４２が筒体２４１内に挿入され、芯体２４２が筒体２４１内から突出するようにスライド可能としてもよい。この場合は、芯体２４２が筒体２４１内に入り込まないように、また、芯体２４２を筒体２４１内から容易に突出させることができるように摘み部を芯体２４２に備えることが好ましい。
【００５４】
次に、本発明に係る第１の実施形態の変形例について図２を参照しながら説明する。この変形例に係るハンドル２も、リング部２２の所定の部位に軸支される支持部２５と、この支持部２５から突出したレバー部２４とを備えている。ただし、このレバー部２４は、複数本（図面では２本を示し、以下、２本として説明する。）のスティック状部材２４３ａ，２４３ｂと、この２本のスティック状部材２４３ａ，２４３ｂを連結する連結部材２４４とを備えている。
【００５５】
連結部材２４４は、一方のスティック状部材２４３ａの一端部と他方のスティック状部材２４３ｂの一端部とを連結するピンや、図示しない蝶番などによって構成される。いずれにしても、２本のスティック状部材２４３ａ，２４３ｂは、重ね合わされた状態と、直列状に並べられて延伸した状態とに姿勢転換可能とされている。
【００５６】
ただし、一方のスティック状部材２４３ａが他方のスティック状部材２４３ｂに重なり合った状態から水平姿勢で半回転することによって直列状に並べられて延伸した状態に転換した際に、回転しすぎないようにするストッパ（図示せず）がスティック状部材に備えられている。
【００５７】
このような変形例に係るハンドル２においても、バルブに小さな負荷が掛かっているときは、図２（ａ）に示すように、レバー部２４を内向きの姿勢として、作業者がリング部２２を周方向に回すことでバルブを開閉する。バルブに大きな負荷が掛かっているときは、図２（ｂ）に示すように、レバー部２４を外向き姿勢とする。ただし、２本のスティック状部材２４３ａ，２４３ｂは、重なり合った状態とし、１本のスティック状部材２４３ａ，２４３ｂの長さとスポーク部２３の長さとを加算した長さ分で回転トルクが生じるようにする。
【００５８】
そして、バルブにさらに大きな負荷が掛かっている場合は、図２（ｃ）に示すように、外向きの姿勢とされたレバー部２４は、２本のスティック状部材２４３ａ，２４３ｂを直列状に並べて延伸した状態とし、スティック状部材２４３ａ，２４３ｂの２本足らずの長さとスポーク部２３の長さとを加算した長さ分で回転トルクが生じるようにする。そして、バルブの開閉作業が終了すると、図２（ａ）に示すように、レバー部２４を内向きの姿勢とする。
【００５９】
なお、上記の支持部２５は、筒状に形成したが、リング状に形成してもよい。この場合、リング部２２には、リング状の支持部２５を嵌める溝が形成される。また、レバー部２４は、リング部２２の直径程の長さとし、内向きの姿勢で反対側のリング部２２に架け渡されるようにしてもよい。
【００６０】
〔第２の実施形態〕
本発明に係る手動式開閉弁用のハンドル２の第２の実施形態について図３及び図４を参照しながら説明する。ただし、第１の実施形態において説明した部分と同一に相当する部分は、同一符号を付して説明する。
【００６１】
第２の実施形態におけるハンドル２は、リング部２２とハブ部２１とに連結される橋絡部２６を備えている。橋絡部２６は、円筒であっても、楕円形の円筒であっても、角筒であってもよい。この橋絡部２６内にレバー部２４が出退可能に挿入されている。
【００６２】
そして、レバー部２４が橋絡部２６から完全に引き出されず、芯体２４２が筒状の橋絡部２６内から完全に抜き出されないようにするための抜止部が備えられている。抜止部は、例えば、図４に示すように、テーパ面によって形成してもよい。すなわち、抜止部は、橋絡部２６のリング部側端部２６ａの内径が次第に縮径し、レバー部２４のハブ部側端部２４ａが次第に拡径するように形成される。
【００６３】
したがって、筒状の橋絡部２６の内径は、リング側端部２６ａ以外において、レバー部２４のハブ部側端部２４ａの外径と同じ又は大き目とされている。こうすることにより、レバー部２４が筒体２４１内から引き出されたときに、拡径したレバー部２４のハブ部側端部２４ａが縮径した橋絡部２６のリング側端部２６ａに当たることで、レバー部２４が橋絡部２６内から完全に抜き出ないようにすることができる。
【００６４】
あるいは、抜止部は、図示しないが、筒状の橋絡部２６のリング部側端部２６ａに内向きに突出したフランジ部を設け、レバー部２４のハブ部側端部２４ａに外向きに突出したフランジ部を設けてもよい。この場合、筒状の橋絡部２６の内径は、レバー部２４のフランジ部の外径と同じ又は大き目とされている。こうすることにより、レバー部２４が筒体２４１内から引き出されたときに、両フランジ部が当たることで、レバー部２４が筒体２４１内から完全に抜き出ないようにすることができる。
【００６５】
あるいは、筒体２４１が図示しない楕円形の円筒や角筒であり、レバー部２４が楕円形の軸状部材や角柱であると、レバー部２４は周方向に回らないため、抜止部は、筒状の橋絡部２６のリング側端部とレバー部２４のハブ部側端部とに突起部（図示せず）を設けたものとし、レバー部２４が筒体２４１内から引き出されたときに、両突起部が当たることで、レバー部２４が筒体２４１内から完全に抜き出ないようにすることができる。
【００６６】
いずれにしても、橋絡部２６は、図３に示すように、スポーク部２３を兼ねたものとされる。ただし、十字形に備えられたスポーク部２３の隣り合ったスポーク部２３間に筒体２４１を配置してもよい。
【００６７】
また、橋絡部２６と交差するリング部２２の外周面には、レバー部２４が出退する貫通穴（採番せず）が形成されている。この貫通穴は、シャッター２７によって開閉される。すなわち、シャッター２７が貫通穴を塞ぐことで、レバー部２４が橋絡部２６から突出しないようにされている。また、シャッター２７が貫通穴を露出させることで、レバー部２４が橋絡部２６から突出可能とされている。なお、橋絡部２６内に収納されたレバー部２４を引き出すための摘み部（図示せず）がレバー部２４の先端面に設けられている。
【００６８】
第２の実施形態におけるハンドル２は、以上のように構成され、次に使用方法について説明する。
【００６９】
ハンドル２は、通常の状態において、図３（ａ）に示すように、レバー部２４を橋絡部２６内に収納し、内向きの姿勢とされている。このレバー部２４は、シャッター２７が閉じられることで、橋絡部２６内から突出しない。
【００７０】
そして、バルブに小さな負荷が掛かっている場合は、作業者が手動でリング部２２を周方向に回すことで、バルブを開閉する。このとき、レバー部２４が内向きの姿勢とされ、リング部２２から突出していないことにより、レバー部２４は作業の邪魔にならない。
【００７１】
そして、バルブに大きな負荷が掛かり、作業者が手動でリング部２２を回せない場合は、図３（ｂ）に示すように、レバー部２４を橋絡部２６内から引き出し、外向きの姿勢とする。そして、作業者がレバー部２４を押し操作、又は、引き操作する。そうすると、ハブ部２１ないしステム１には、レバー部２４の長さとスポーク部２３の長さとを加算した長さ分で回転トルクが生じ、バルブを開閉することができる。
【００７２】
次に、本発明に係る第２の実施形態の変形例について図５を参照しながら説明する。この変形例に係るハンドル２に備えられたレバー部２４は、筒体２４１と、この筒体２４１内に収納された芯体２４２とを備えている。したがって、このレバー部２４においては、橋絡部２６内に挿入された筒体２４１を引き出すための摘み部（図示せず）と、筒体２４１内に挿入された芯体２４２を引き出すための摘み部（図示せず）が外端面に備えられている。なお、この筒体２４１と芯体２４２にも図４に示したような抜止部が備えられる。
【００７３】
この変形例に係るハンドル２は、バルブに小さな負荷が掛かっているときは、図５（ａ）に示すように内向きの姿勢として、作業者がリング部２２を周方向に回すことで、バルブを開閉する。
【００７４】
そして、このハンドル２は、外向きの姿勢のハンドル２の２段階に変更することができる。すなわち、バルブに大きな負荷が掛かっているときは、図５（ｂ）に示すように、芯体２４２を筒体２４１内に収納した状態のレバー部２４として使用する。
【００７５】
そして、バルブにさらに大きな負荷が掛かっているときは、図５（ｃ）に示すように筒体２４１内から芯体２４２を引き出した状態のレバー部２４として使用する。この芯体２４２を筒体２４１から引き出したレバー部２４では、芯体２４２を筒体２４１内に収納したレバー部２４よりも大きな回転トルクをハブ部２１ないしステム１に生じさせることができる。
【００７６】
また、第２の実施形態のさらに異なる変形例として、橋絡部２６は、筒体２４１でなく、帯板状の部材とし、レバー部２４がこの帯板状の橋絡部２６に沿ってスライドするようにしてもよい。この場合、帯板状の橋絡部２６の両側縁にガイド部が突出され、レバー部２４がガイド部に挟まれるようにする。
【００７７】
〔その他の実施形態〕
本発明は、上記実施の形態に限定することなく、本発明の要旨を逸脱しない範囲で、種々変更することができる。例えば、上記実施の形態におけるハンドル２では、レバー部２４が１本のみ備えられた。しかし、２本のレバー部２４を備え、反対方向に外向き姿勢となるようにしてもよい。このようなレバー部２４にあっては、作業者が両手でレバー部を掴むことができるため、より大きな回転トルクを生じさせることができる。
【００７８】
また、第１の実施形態のレバー部２４は、筒体２４１と芯体２４２とによって、また、スティック状部材２４３ａ，２４３ｂによって長く延長できるようにした。しかし、第１の実施形態においても、レバー部２４は、１本の部材のみで構成してもよい。
【００７９】
いずれの実施形態においても、作業者が開閉操作用工具を携行することなく、バルブを的確に開閉することができるため、作業車の労力を軽減し、また、弁体を破損させたり、開閉操作用工具がハンドルから外れることに起因する事故を防止することができる。
【符号の説明】
【００８０】
１…ステム
２…ハンドル
１１…ボルト部
１２…ナット
２１…ハブ部
２２…リング部
２３…スポーク部
２４…レバー部
２４１…筒体
２４２…芯体
２４３ａ…スティック状部材
２４３ｂ…スティック状部材
２５…支持部
２６…橋絡部
２７…シャッター
【図１】
0005946808.tif 000002
【図２】
0005946808.tif 000003
【図３】
0005946808.tif 000004
【図４】
0005946808.tif 000005
【図５】
0005946808.tif 000006